(57)【要約】  無線通信システムにおいて、ワンタイムパスワードを簡単な手法で生成、認証可能とすること。  ワンタイムパスワード生成機能を備えた携帯端末10と、入力されたワンタイムパスワードが認証された時点で必要な動作を起動させることができる固定端末20と、固定端末20に接続されたサーバ30と、を備えた無線通信システム。固定端末20はRFIDタグ23を備え、携帯端末10は、タグ23とRFID通信可能なRFIDリーダライタ11と、リーダライタ11に接続されてタグ23のID情報に基づく第1のワンタイムパスワードを生成する生成部13と、を備えている。サーバ30は、タグ23のID情報に基づく第2のワンタイムパスワードを生成する生成部31と、第1のワンタイムパスワードと第2のワンタイムパスワードとを照合、認証する照合認証部32と、を備えている。生成部13及び生成部31は、各生成部に共通のルールに基づいてタグ23のID情報から第1及び第2のワンタイムパスワードを生成する。
2015068452.tif 000002
【特許請求の範囲】
【請求項１】
ワンタイムパスワード生成機能を備えた携帯端末と、入力されたワンタイムパスワードが認証された時点で必要な動作を起動させることができる固定端末と、前記固定端末と接続されたサーバと、を備え、
前記固定端末はＲＦＩＤタグを備え、
前記携帯端末は、前記ＲＦＩＤタグとＲＦＩＤ通信可能なＲＦＩＤリーダライタと、前記ＲＦＩＤリーダライタに接続されて前記ＲＦＩＤタグのＩＤ情報に基づく第１のワンタイムパスワードを生成する第１のワンタイムパスワード生成部と、を備え、
前記サーバは、前記ＲＦＩＤタグのＩＤ情報に基づく第２のワンタイムパスワードを生成する第２のワンタイムパスワード生成部と、前記第１のワンタイムパスワードと前記第２のワンタイムパスワードとを照合、認証する照合認証部と、を備え、
前記第１のワンタイムパスワード生成部及び前記第２のワンタイムパスワード生成部は、各生成部に共通のルールに基づいて前記ＲＦＩＤタグのＩＤ情報から前記第１のワンタイムパスワード及び前記第２のワンタイムパスワードを生成すること、
を特徴とする無線通信システム。
【請求項２】
サーバと、前記サーバとの通信が可能な無線通信システムを搭載した携帯端末と、前記サーバに接続されて入力されたワンタイムパスワードが認証された時点で必要な動作を起動させることがきる固定端末と、を備え、
前記固定端末はＲＦＩＤタグを備え、
前記携帯端末は、前記ＲＦＩＤタグとＲＦＩＤ通信可能なＲＦＩＤリーダライタと、前記ＲＦＩＤリーダライタに接続されて前記ＲＦＩＤタグのＩＤ情報に基づくワンタイムパスワードを生成するワンタイムパスワード生成部と、を備え、
前記サーバは、前記携帯端末から前記無線通信システムを通じて直接的に送られてきたワンタイムパスワードと、前記携帯端末から前記ＲＦＩＤ通信及び前記固定端末を介して間接的に送られてきたワンタイムパスワードとを照合、認証する照合認証部を備えたこと、
を特徴とする無線通信システム。
【請求項３】
ワンタイムパスワード生成機能を備えたサーバと、前記サーバとの通信が可能な無線通信システムを搭載した携帯端末と、前記サーバに接続されて入力されたワンタイムパスワードが認証された時点で必要な動作を起動させることがきる固定端末と、を備え、
前記固定端末はＲＦＩＤタグを備え、
前記携帯端末は、前記ＲＦＩＤタグとＲＦＩＤ通信可能なＲＦＩＤリーダライタを備え、
前記サーバは、前記携帯端末から前記無線通信システムを通じて直接的に送られてきた前記ＲＦＩＤタグのＩＤ情報に基づくワンタイムパスワードを生成するワンタイムパスワード生成部と、前記携帯端末から前記固定端末を介して間接的に送られてきたワンタイムパスワードを照合、認証する照合認証部を備えたこと、
を特徴とする無線通信システム。
【請求項４】
ＲＦＩＤ通信システムを利用して、固定端末に搭載されたＲＦＩＤタグを携帯端末に搭載されたＲＦＩＤリーダライタで読み取るステップと、
前記携帯端末にて、読み取った前記ＲＦＩＤタグの情報を利用し、所定ルールに基づいてワンタイムパスワードを生成するステップと、
生成された前記ワンタイムパスワードを、前記ＲＦＩＤリーダライタから前記ＲＦＩＤタグに、前記ＲＦＩＤ通信システムを利用して転送するステップと、
前記ワンタイムパスワード及び前記ＲＦＩＤタグの情報を、前記固定端末からサーバに転送するステップと、
前記サーバにて、前記ＲＦＩＤタグの情報を利用し、前記所定のルールに基づいてワンタイムパスワードを生成し、ここで生成されたワンタイムパスワードと前記固定端末から送られてきた前記ワンタイムパスワードとを照合、認証するステップと、
を備えたことを特徴とするワンタイムパスワードの生成、認証方法。
【請求項５】
ＲＦＩＤ通信システムを利用して、固定端末に搭載されたＲＦＩＤタグを携帯端末に搭載されたＲＦＩＤリーダライタで読み取るステップと、
読み取った前記ＲＦＩＤタグの情報に基づいて前記携帯端末にてワンタイムパスワードを生成するステップと、
生成された前記ワンタイムパスワードを、前記ＲＦＩＤリーダライタから前記ＲＦＩＤタグに前記ＲＦＩＤ通信システムを利用して転送し、さらにサーバに転送するステップと、
前記ワンタイムパスワードを、前記携帯端末から前記サーバに、前記ＲＦＩＤ通信システムとは異なる無線通信システムを利用して転送するステップと、
前記サーバにて、前記固定端末から送られてきた前記ワンタイムパスワードと前記携帯端末から送られてきた前記ワンタイムパスワードとを照合、認証するステップと、
を備えたことを特徴とするワンタイムパスワードの生成、認証方法。
【請求項６】
ＲＦＩＤ通信システムを利用して、固定端末に搭載されたＲＦＩＤタグを携帯端末に搭載されたＲＦＩＤリーダライタで読み取るステップと、
読み取った前記ＲＦＩＤタグの情報を前記携帯端末からサーバに前記ＲＦＩＤ通信システムとは異なる無線通信システムを利用して転送し、前記サーバにて前記ＲＦＩＤタグの情報に基づいてワンタイムパスワードを生成し、このワンタイムパスワードを前記携帯端末にダウンロードするステップと、
ダウンロードした前記ワンタイムパスワードを前記ＲＦＩＤリーダライタから前記ＲＦＩＤタグに前記ＲＦＩＤ通信システムを利用して転送するステップと、
前記ワンタイムパスワードを前記固定端末から前記サーバに転送するステップと、
前記サーバにて、前記サーバにて生成した前記ワンタイムパスワードと前記固定端末から送られてきた前記ワンタイムパスワードとを照合、認証するステップと、
を備えたことを特徴とするワンタイムパスワードの生成、認証方法。
【発明の詳細な説明】
【技術分野】
【０００１】
本発明は、無線通信システム、特に、携帯端末やパソコンなどの固定端末をＲＦＩＤ（Radio Frequency Identification）システムを利用して通信を行いワンタイムパスワードを生成、認証する無線通信システム、及び、このシステムを使用して実行されるワンタイムパスワードの生成、認証方法に関する。
【背景技術】
【０００２】
近年、物品の情報管理システムとして、誘導磁界を発生するリーダライタと、物品に付されたＲＦＩＤタグ（無線ＩＣデバイスとも称する）とを磁界や電磁界を利用した非接触方式で通信し、所定の情報を伝達するＲＦＩＤシステムが実用化されている。【０００３】
一方、特定の通信用端末とサーバとの通信を許容するための認証システムが開発されている。しかし、ユーザ名と対応するパスワードを送信する通常の認証方式では、端末からサーバまでの通信経路上でパスワードが「盗み聞き」されてしまう可能性がある。【０００４】
そこで、ワンタイムパスワード（使い捨てパスワードとも呼ばれている）が普及の兆しを見せており、特許文献１には、遠隔地にある端末とサーバとをリモートアクセスする際に、アクセスしてくる人間が正規のユーザかどうかを検証する認証技術が記載されている。【０００５】
通常、ワンタイムパスワードを用いる第１の認証方式では、まず、サーバが端末に認証文字列の「種」となるランダムな文字列（「チャレンジ」と呼ばれる）を送信する。ユーザは自分しか知らない秘密のパスワードを自己の端末に入力する。端末に供えられたソフトウエアーがサーバから送られてきたチャレンジ文字列とユーザが入力したパスワードを一定の手順に従って演算し、生成された結果（「レスポンス」と呼ばれる文字列）をサーバに送信する。サーバでは、受け取った文字列を検証し、正規のユーザがどうかを照合する。チャレンジは毎回異なる文字列になるように設定されており、ユーザが申告したパスワードも毎回異なった文字列としてサーバに送信される。【０００６】
また、第２の認証方式として、キーホルダー型の「セキュリティトークン」やスマートフォン用のアプリケーションである「ソフトウエアトークン」などによって、ワンタイムパスワードを生成させた後に、そのパスワードをユーザが自らの手で入力する方法も用いられている。【０００７】
ワンタイムパスワードを用いると、万が一通信経路上でサーバと端末との交信を盗み聞きされても、同じパスワードは二度と使えないため、サーバが不正使用されることはない。しかしながら、ユーザにとって「パスワードの生成」及び「パスワードの入力」という手間が発生するという問題点がある。
【先行技術文献】
【特許文献】
【０００８】
【特許文献１】特開２００２−００７３５５号公報
【発明の概要】
【発明が解決しようとする課題】
【０００９】
本発明の目的は、ワンタイムパスワードを簡単な手法で生成、認証できる無線通信システム及びワンタイムパスワードの生成、認証方法を提供することにある。
【課題を解決するための手段】
【００１０】
本発明の第１の形態である無線通信システムは、
ワンタイムパスワード生成機能を備えた携帯端末と、入力されたワンタイムパスワードが認証された時点で必要な動作を起動させることができる固定端末と、前記固定端末と接続されたサーバと、を備え、
前記固定端末はＲＦＩＤタグを備え、
前記携帯端末は、前記ＲＦＩＤタグとＲＦＩＤ通信可能なＲＦＩＤリーダライタと、前記ＲＦＩＤリーダライタに接続されて前記ＲＦＩＤタグのＩＤ情報に基づく第１のワンタイムパスワードを生成する第１のワンタイムパスワード生成部と、を備え、
前記サーバは、前記ＲＦＩＤタグのＩＤ情報に基づく第２のワンタイムパスワードを生成する第２のワンタイムパスワード生成部と、前記第１のワンタイムパスワードと前記第２のワンタイムパスワードとを照合、認証する照合認証部と、を備え、
前記第１のワンタイムパスワード生成部及び前記第２のワンタイムパスワード生成部は、各生成部に共通のルールに基づいて前記ＲＦＩＤタグのＩＤ情報から前記第１のワンタイムパスワード及び前記第２のワンタイムパスワードを生成すること、
を特徴とする。【００１１】
本発明の第２の形態である無線通信システムは、
サーバと、前記サーバとの通信が可能な無線通信システムを搭載した携帯端末と、前記サーバに接続されて入力されたワンタイムパスワードが認証された時点で必要な動作を起動させることがきる固定端末と、を備え、
前記固定端末はＲＦＩＤタグを備え、
前記携帯端末は、前記ＲＦＩＤタグとＲＦＩＤ通信可能なＲＦＩＤリーダライタと、前記ＲＦＩＤリーダライタに接続されて前記ＲＦＩＤタグのＩＤ情報に基づくワンタイムパスワードを生成するワンタイムパスワード生成部と、を備え、
前記サーバは、前記携帯端末から前記無線通信システムを通じて直接的に送られてきたワンタイムパスワードと、前記携帯端末から前記ＲＦＩＤ通信及び前記固定端末を介して間接的に送られてきたワンタイムパスワードとを照合、認証する照合認証部を備えたこと、
を特徴とする。【００１２】
本発明の第３の形態である無線通信システムは、
ワンタイムパスワード生成機能を備えたサーバと、前記サーバとの通信が可能な無線通信システムを搭載した携帯端末と、前記サーバに接続されて入力されたワンタイムパスワードが認証された時点で必要な動作を起動させることがきる固定端末と、を備え、
前記固定端末はＲＦＩＤタグを備え、
前記携帯端末は、前記ＲＦＩＤタグとＲＦＩＤ通信可能なＲＦＩＤリーダライタを備え、
前記サーバは、前記携帯端末から前記無線通信システムを通じて直接的に送られてきた前記ＲＦＩＤタグのＩＤ情報に基づくワンタイムパスワードを生成するワンタイムパスワード生成部と、前記携帯端末から前記固定端末を介して間接的に送られてきたワンタイムパスワードを照合、認証する照合認証部を備えたこと、
を特徴とする。【００１３】
本発明の第４の形態であるワンタイムパスワードの生成、認証方法は、
ＲＦＩＤ通信システムを利用して、固定端末に搭載されたＲＦＩＤタグを携帯端末に搭載されたＲＦＩＤリーダライタで読み取るステップと、
前記携帯端末にて、読み取った前記ＲＦＩＤタグの情報を利用し、所定ルールに基づいてワンタイムパスワードを生成するステップと、
生成された前記ワンタイムパスワードを、前記ＲＦＩＤリーダライタから前記ＲＦＩＤタグに、前記ＲＦＩＤ通信システムを利用して転送するステップと、
前記ワンタイムパスワード及び前記ＲＦＩＤタグの情報を、前記固定端末からサーバに転送するステップと、
前記サーバにて、前記ＲＦＩＤタグの情報を利用し、前記所定のルールに基づいてワンタイムパスワードを生成し、ここで生成されたワンタイムパスワードと前記固定端末から送られてきた前記ワンタイムパスワードとを照合、認証するステップと、
を備えたことを特徴とする。【００１４】
本発明の第５の形態であるワンタイムパスワードの生成、照合方法は、
ＲＦＩＤ通信システムを利用して、固定端末に搭載されたＲＦＩＤタグを携帯端末に搭載されたＲＦＩＤリーダライタで読み取るステップと、
読み取った前記ＲＦＩＤタグの情報に基づいて前記携帯端末にてワンタイムパスワードを生成するステップと、
生成された前記ワンタイムパスワードを、前記ＲＦＩＤリーダライタから前記ＲＦＩＤタグに前記ＲＦＩＤ通信システムを利用して転送し、さらにサーバに転送するステップと、
前記ワンタイムパスワードを、前記携帯端末から前記サーバに、前記ＲＦＩＤ通信システムとは異なる無線通信システムを利用して転送するステップと、
前記サーバにて、前記固定端末から送られてきた前記ワンタイムパスワードと前記携帯端末から送られてきた前記ワンタイムパスワードとを照合、認証するステップと、
を備えたことを特徴とする。【００１５】
本発明の第６の形態であるワンタイムパスワードの生成、照合方法は、
ＲＦＩＤ通信システムを利用して、固定端末に搭載されたＲＦＩＤタグを携帯端末に搭載されたＲＦＩＤリーダライタで読み取るステップと、
読み取った前記ＲＦＩＤタグの情報を前記携帯端末からサーバに前記ＲＦＩＤ通信システムとは異なる無線通信システムを利用して転送し、前記サーバにて前記ＲＦＩＤタグの情報に基づいてワンタイムパスワードを生成し、このワンタイムパスワードを前記携帯端末にダウンロードするステップと、
ダウンロードした前記ワンタイムパスワードを前記ＲＦＩＤリーダライタから前記ＲＦＩＤタグに前記ＲＦＩＤ通信システムを利用して転送するステップと、
前記ワンタイムパスワードを前記固定端末から前記サーバに転送するステップと、
前記サーバにて、前記サーバにて生成した前記ワンタイムパスワードと前記固定端末から送られてきた前記ワンタイムパスワードとを照合、認証するステップと、
を備えたことを特徴とする。【００１６】
前記無線通信システム及び前記ワンタイムパスワードの生成、認証方法においては、携帯端末を固定端末に近接させることで、携帯端末に搭載されているリーダライタが固定端末に搭載されているＲＦＩＤ用デバイス（ＲＦＩＤタグ）の情報を読み取って携帯端末又はサーバがワンタイムパスワードを生成し、サーバが自動的に該ワンタイムパスワードを認証する。
【発明の効果】
【００１７】
本発明によれば、ワンタイムパスワードを簡単な手法で生成、認証することができ、ひいては、ユーザ認証を簡易にかつ迅速に行うことができる。
【図面の簡単な説明】
【００１８】
【図１】（Ａ），（Ｂ）ともに、第１実施例である無線通信システムの概略構成を示すブロック図である。
【図２】ワンタイムパスワードを生成、認証する第１の方法を示すフローチャート図である。
【図３】（Ａ），（Ｂ）ともに、第２実施例である無線通信システムの概略構成を示すブロック図である。
【図４】ワンタイムパスワードを生成、認証する第２の方法を示すフローチャート図である。
【図５】（Ａ），（Ｂ）ともに、第３実施例である無線通信システムの概略構成を示すブロック図である。
【図６】ワンタイムパスワードを生成、認証する第３の方法を示すフローチャート図である。
【発明を実施するための形態】
【００１９】
以下、本発明に係る無線通信システム及びワンタイムパスワードの生成、認証方法の実施例について添付図面を参照して説明する。
【００２０】
（第１実施例、図１及び図２参照）
図１（Ａ），（Ｂ）に第１実施例である無線通信システム１Ａを示す。この無線通信システム１Ａは、ワンタイムパスワード生成機能を備えた携帯端末１０（例えば、スマートフォン）と、入力されたワンタイムパスワードが認証された時点で必要な動作を起動させることができる固定端末２０（例えば、デスクトップ型パソコン）と、を備えている。さらに、サーバ３０が配置されている。サーバ３０は固定端末２０からアクセスすることのできる種々の情報が格納されており、さらに、ワンタイムパスワードの生成、認証をも行う。
【００２１】
携帯端末１０は、アンテナ用接続端子Ｔ１とＣＰＵ用接続端子Ｔ２とを有するリーダライタ用デバイス１１と、アンテナ用接続端子Ｔ１に接続されたリーダライタ用アンテナ１２と、ＣＰＵ用接続端子Ｔ２に接続された第１のＣＰＵ１３と、を備えている。リーダライタ用デバイス１１はリーダライタ用ＩＣ素子にて構成されており、リーダライタ用デバイス１１とリーダライタ用アンテナ１２とでＲＦＩＤリーダライタを構成している。第１のＣＰＵ１３は、以下に説明するＲＦＩＤタグ２３のＩＤ情報を利用して所定のルール（規則性）に基づいて第１のワンタイムパスワードを生成する第１のワンタイムパスワード生成回路を有している。
【００２２】
固定端末２０は、アンテナ用接続端子Ｔ３とＣＰＵ用接続端子Ｔ４とを有するタグ用デバイス２１と、アンテナ用接続端子Ｔ３に接続されたタグ用アンテナ２２と、ＣＰＵ用接続端子Ｔ４にインターフェース２５を介して接続された第２のＣＰＵ２４と、を備えている。タグ用デバイス２１はタグ用ＩＣ素子にて構成されている。第２のＣＰＵ２４は有線又は無線でサーバ３０に接続されている。なお、タグ用デバイス２１とそのアンテナ２２とを含めてＲＦＩＤタグ２３と称する。また、インターフェース２５としては、Ｉ2Ｃ、ＵＡＲＴ、ＳＰＩなど種々の規格で作成されたデバイスを使用することができる。
【００２３】
サーバ３０は、ＲＦＩＣタグ２３のＩＤ情報に基づいて第２のワンタイムパスワードを生成する第２のワンタイムパスワード生成部３１を有する。また、サーバ３０は、第１のワンタイムパスワード及び第２のワンタイムパスワードを照合、認証する照合認証部３２を備えている。
【００２４】
そして、携帯端末１０における第１のワンタイムパスワード生成部（ＣＰＵ１３）及びサーバ３０における第２のワンタイムパスワード生成部３１は、各生成部に共通のルールに基づいてＲＦＩＤタグ２３のＩＤ情報から第１のワンタイムパスワード及び第２のワンタイムパスワードをそれぞれ生成する。
【００２５】
なお、携帯端末１０と固定端末２０との間のＲＦＩＤ通信（より具体的には、ＲＦＩＤリーダライタとＲＦＩＤタグ２３との通信）は、ＨＦ帯を利用したＲＦＩＤ通信システムを使用してもよく、あるいは、ＵＨＦ帯を利用したＲＦＩＤ通信システムを使用してもよい。
【００２６】
ここで、前記無線通信システム１Ａを用いたワンタイムパスワードの生成、認証に関する第１の方法を図２に基づいて説明する。
【００２７】
まず、固定端末２０に搭載されたＲＦＩＤタグ２３を携帯端末１０に搭載されたＲＦＩＤリーダライタで読み取る（ステップＳ１）。より具体的には、ＲＦＩＤタグ２３のタグ用デバイス２１には固有のＩＤ情報が保存されており、このＩＤ情報をＲＦＩＤリーダライタにて読み取る。次に、読み取ったＲＦＩＤタグ情報に基づいて携帯端末１０（ＣＰＵ１３）にて第１のワンタイムパスワードを生成する（ステップＳ２）。つまり、予め決められたルール（規則性）に基づき、ＲＦＩＤタグ２３のＩＤ情報を利用して、携帯端末１０で第１のワンタイムパスワードを生成する。なお、ユーザ、つまりタグ２３のＩＤ情報に関連してワンタイムパスワードを生成する処理は従来から知られている手法を利用できる。
【００２８】
次に、ＣＰＵ１３のワンタイムパスワード生成部にて生成された第１のワンタイムパスワードをＲＦＩＤリーダライタに転送する（ステップＳ３）。次に、ＲＦＩＤリーダライタから第１のワンタイムパスワードを固定端末２０のホストコンピュータ（ＣＰＵ２４）にＲＦＩＤタグ２３及びインターフェース２５を介して転送する（ステップＳ４）。そして、ホストコンピュータ（ＣＰＵ２４）に転送された第１のワンタイムパスワード及びＲＦＩＤタグの情報をサーバ３０に転送し（ステップＳ５）、該サーバ３０の照合認証部３２が第１のワンタイムパスワードを認証する（ステップＳ７）。ここで、サーバ３０においても、前述のように、前記の予め取り決められたルールに基づいてＲＦＩＤタグ２３のＩＤ情報を利用して第２のワンタイムパスワードを生成する生成部３２を有しており、ステップＳ６で生成された第２のワンタイムパスワードと前記第１のワンタイムパスワードとが一致するか否か、つまり、携帯端末１０によって生成された第１のワンタイムパスワードが真のパスワードであるか否かを照合する。
【００２９】
以上のステップを経て、サーバ３０でワンタイムパスワードを照合、認証することで、始めて、固定端末２０はサーバ３０にアクセスを開始することができる。ワンタイムパスワードは一度の使い捨てパスワードであるからサーバ３０が不正使用されるおそれは小さい。また、携帯端末１０のリーダライタ用アンテナ１２を固定端末２０の近傍にかざすことで、携帯端末１０に搭載されているリーダライタが固定端末１０に搭載されているＲＦＩＤタグ２３の情報を読み取って、携帯端末１０がワンタイムパスワードを生成し、サーバ３０が該ワンタイムパスワードを自動的に認証する。それゆえ、ユーザが特別な操作を行う必要がなく、ワンタイムパスワードを簡単な手法で生成、認証することができる。つまり、前記の各ステップは、ユーザでパスワードの入力などの走査が必要ないため、定期的に前記ステップを実行することで、さらにセキュリティ性を高めることができる。また、本第１実施例における携帯端末１０は、必ずしもスマートフォンのようなセルラー機能を有する電話端末でなくてもよく、例えば電子キーのような端末であってもよい。
【００３０】
（第２実施例、図３及び図４参照）
図３（Ａ），（Ｂ）に第２実施例である無線通信システム１Ｂを示す。この無線通信システム１Ｂは、ワンタイムパスワード生成機能を備えた携帯端末１０（例えば、スマートフォン）と、入力されたワンタイムパスワードが認証された時点で必要な動作を起動させることができる固定端末２０（例えば、デスクトップ型パソコン）と、を備えている。さらに、サーバ３０が配置されている。サーバ３０は固定端末２０からアクセスすることのできる種々の情報が格納されており、さらに、ワンタイムパスワードの照合、認証をも行う。
【００３１】
携帯端末１０は、アンテナ用接続端子Ｔ１とＣＰＵ用接続端子Ｔ２とを有するリーダライタ用デバイス１１と、アンテナ用接続端子Ｔ１に接続されたリーダライタ用アンテナ１２と、ＣＰＵ用接続端子Ｔ２に接続された第１のＣＰＵ１３と、第１のＣＰＵ１３に接続された無線通信回路１４と、無線通信回路１４に接続された無線通信用アンテナ１５と、を備えている。リーダライタ用デバイス１１はリーダライタ用ＩＣ素子にて構成されており、リーダライタ用デバイス１１とリーダライタ用アンテナ１２とでＲＦＩＤリーダライタを構成している。第１のＣＰＵ１３は、以下に説明するＲＦＩＤタグ２３のＩＤ情報を利用してワンタイムパスワードを生成するワンタイムパスワード生成回路を有している。無線通信回路１４はセルラー通信やＷｉＦｉ通信、Ｂｌｕｅｔｏｏｔｈ（登録商標）通信などを行うための通信回路である。アンテナ１５はセルラー通信やＷｉＦｉ通信、Ｂｌｕｅｔｏｏｔｈ通信などを行うためのアンテナ素子である。
【００３２】
固定端末２０は、アンテナ用接続端子Ｔ３とＣＰＵ用接続端子Ｔ４とを有するタグ用デバイス２１と、アンテナ用接続端子Ｔ３に接続されたタグ用アンテナ２２と、ＣＰＵ用接続端子Ｔ４にインターフェース２５を介して接続された第２のＣＰＵ２４と、を備えている。タグ用デバイス２１はタグ用ＩＣ素子にて構成されている。第２のＣＰＵ２４は有線又は無線でサーバ３０に接続されている。つまり、固定端末２０とサーバ３０とは、ＲＦＩＤ通信システム以外の通信システムにて接続されている。なお、タグ用デバイス２１とそのアンテナ２２とを含めてＲＦＩＤタグ２３と称する。また、インターフェース２５としては、Ｉ2Ｃ、ＵＡＲＴ、ＳＰＩなど種々の規格で作成されたデバイスを使用することができる。
【００３３】
携帯端末１０と固定端末２０との間のＲＦＩＤ通信は、ＨＦ帯を利用したＲＦＩＤ通信システムを使用してもよく、あるいは、ＵＨＦ帯を利用したＲＦＩＤ通信システムを使用してもよい。携帯端末１０とサーバ３０との間の通信は、セルラー通信やＷｉＦｉ通信、Ｂｌｕｅｔｏｏｔｈ通信などを利用することができる。
【００３４】
サーバ３０は、携帯端末１０から無線通信システムを通じて直接的に送られてきたワンタイムパスワードと、携帯端末１０からＲＦＩＤ通信及び固定端末２０を介して間接的に送られてきたワンタイムパスワードとを照合、認証する照合認証部３２を備えている。
【００３５】
ここで、前記無線通信システム１Ｂを用いたワンタイムパスワードの生成、認証に関する第２の方法を図４に基づいて説明する。
【００３６】
まず、固定端末２０に搭載されたＲＦＩＤタグ２３を携帯端末１０に搭載されたＲＦＩＤリーダライタで読み取る（ステップＳ１１）。より具体的には、ＲＦＩＤタグ２３のタグ用デバイス２１には固有のＩＤ情報が保存されており、このＩＤ情報をＲＦＩＤリーダライタにて読み取る。次に、読み取ったＲＦＩＤタグ情報に基づいて携帯端末１０（ＣＰＵ１３）にてワンタイムパスワードを生成する（ステップＳ１２）。ワンタイムパスワードは、予め決められたルール（規則性）に基づいて生成してもよく、あるいは、ランダムに生成してもよいが、ランダムに生成することが好ましい。つまり、このワンタイムパスワードは、サーバ３０で未知のパスワードであることが好ましい。
【００３７】
次に、ＣＰＵ１３のワンタイムパスワード生成部にて生成されたワンタイムパスワードをＲＦＩＤリーダライタに転送する（ステップＳ１３）。つまり、ワンタイムパスワードを携帯端末１０から固定端末２０に転送する。次に、ワンタイムパスワードを固定端末２０からサーバ３０に転送する（ステップＳ１４）。同時に、前記ワンタイムパスワードを携帯端末１０の無線通信システム（セルラー回線などの無線電話回線やＷｉＦｉ、Ｂｌｕｅｔｏｏｔｈなど）を介してサーバ３０に転送する（ステップＳ１５）。つまり、無線通信回路１４及びアンテナ１５を利用して、ＣＰＵ１３にて生成したワンタイムパスワードをサーバ３０に送信する。そして、サーバ３０の照合認証部３２が、携帯端末１０から直接的に送られてきたワンタイムパスワードと固定端末２０を介して間接的に送られてきたワンタイムパスワードとを照合し、その認証作業を行う（ステップＳ１６）。
【００３８】
以上のステップを経て、サーバ３０でワンタイムパスワードを照合、認証することで、始めて、固定端末２０はサーバ３０にアクセスを開始することができる。ワンタイムパスワードは一度の使い捨てパスワードであるからサーバ３０が不正使用されるおそれは小さい。特に、予め決められたパスワード生成ルールを携帯端末１０とサーバ３０とで共有しておくことを必ずしも必要としないので、セキュリティ性をより高めることができる。また、携帯端末１０のリーダライタ用アンテナ１２を固定端末２０に近接させることで、サーバ３０がワンタイムパスワードを自動的に照合、認証するので、ユーザおいては煩雑な操作が必要でなくなる。また、定期的に前記ステップを実行することで、さらにセキュリティ性が高まる。つまり、携帯端末１０を固定端末２０に近接させた状態で固定端末２０を使用する場合、近接している時間内で定期的にワンタイムパスワードの発行と認証とを行うことができ、よりセキュリティが向上する。
【００３９】
（第３実施例、図５及び図６参照）
ところで、図１に示した無線通信システム１Ａにおいて、携帯端末１０はワンタイムパスワードを生成する機能を備えておらず、サーバ３０のみがワンタイムパスワードを生成する機能を備えていてもよい。このような無線通信システム１Ｃを図５（Ａ），（Ｂ）に第３実施例として説明する。この無線通信システム１Ｃは、携帯端末１０（例えば、スマートフォン）と、入力されたワンタイムパスワードが認証された時点で必要な動作を起動させることができる固定端末２０（例えば、デスクトップ型パソコン）と、を備えている。さらに、サーバ３０が配置されている。サーバ３０は固定端末２０からアクセスすることのできる種々の情報が格納されており、さらに、ワンタイムパスワードの生成、認証をも行う。
【００４０】
携帯端末１０は、アンテナ用接続端子Ｔ１とＣＰＵ用接続端子Ｔ２とを有するリーダライタ用デバイス１１と、アンテナ用接続端子Ｔ１に接続されたリーダライタ用アンテナ１２と、ＣＰＵ用接続端子Ｔ２に接続された第１のＣＰＵ１３’と、第１のＣＰＵ１３’に接続された無線通信回路１４と、無線通信回路１４に接続された無線通信用アンテナ１５と、を備えている。リーダライタ用デバイス１１はリーダライタ用ＩＣ素子にて構成されており、リーダライタ用デバイス１１とリーダライタ用アンテナ１２とでＲＦＩＤリーダライタを構成している。第１のＣＰＵ１３’は、前記第１実施例や前記第２実施例とは異なり、ワンタイムパスワードを生成する回路を備えていない。無線通信回路１４はセルラー通信やＷｉＦｉ通信、Ｂｌｕｅｔｏｏｔｈ通信などを行うための通信回路である。アンテナ１５はセルラー通信やＷｉＦｉ通信、Ｂｌｕｅｔｏｏｔｈ通信などを行うためのアンテナ素子である。
【００４１】
固定端末２０は、アンテナ用接続端子Ｔ３とＣＰＵ用接続端子Ｔ４とを有するタグ用デバイス２１と、アンテナ用接続端子Ｔ３に接続されたタグ用アンテナ２２と、ＣＰＵ用接続端子Ｔ４にインターフェース２５を介して接続された第２のＣＰＵ２４と、を備えている。タグ用デバイス２１はタグ用ＩＣ素子にて構成されている。第２のＣＰＵ２４は有線又は無線でサーバ３０に接続されている。つまり、固定端末２０とサーバ３０とは、ＲＦＩＤ通信システム以外の通信システムにて接続されている。なお、タグ用デバイス２１とそのアンテナ２２とを含めてＲＦＩＤタグ２３と称する。また、インターフェース２５としては、Ｉ2Ｃ、ＵＡＲＴ、ＳＰＩなど種々の規格で作成されたデバイスを使用することができる。
【００４２】
携帯端末１０と固定端末２０との間のＲＦＩＤ通信は、ＨＦ帯を利用したＲＦＩＤ通信システムを使用してもよく、あるいは、ＵＨＦ帯を利用したＲＦＩＤ通信システムを使用してもよい。携帯端末１０とサーバ３０との間の通信は、セルラー通信やＷｉＦｉ通信、Ｂｌｕｅｔｏｏｔｈ通信などを利用することができる。
【００４３】
サーバ３０は、ＲＦＩＣタグ２３のＩＤ情報に基づいてワンタイムパスワードを生成するワンタイムパスワード生成部３１を有する。また、サーバ３０は、生成部３１で生成されかつ携帯端末１０でダウンロードされたワンタイムパスワード及び第２のワンタイムパスワードを照合、認証する照合認証部３２を備えている。
【００４４】
ここで、前記無線通信システム１Ｃを用いたワンタイムパスワードの生成、認証に関する第３の方法を図６に基づいて説明する。
【００４５】
まず、固定端末２０に搭載されたＲＦＩＤタグ２３を携帯端末１０に搭載されたＲＦＩＤリーダライタで読み取る（ステップＳ２１）。より具体的には、ＲＦＩＤタグ２３のタグ用デバイス２１には固有のＩＤ情報が保存されており、このＩＤ情報をＲＦＩＤリーダライタにて読み取る。次に、読み取ったＲＦＩＤタグ情報に基づいて携帯端末１０がサーバ３０に問い合わせてサーバ３０からワンタイムパスワードをダウンロードする（ステップＳ２２）。即ち、携帯端末１０からサーバ３０にＲＦＩＤタグ２３のＩＤ情報を送信し、このＩＤ情報に基づくワンタイムパスワード（ＩＤ情報に紐付けされたパスワード）の生成を依頼する。すると、サーバ３０では、ワンタイムパスワード生成部３１にてＲＦＩＤの情報に基づいてワンタイムパスワードを生成する。
【００４６】
次に、サーバ３０からダウンロードした前記ワンタイムパスワードをＲＦＩＤリーダライタに転送する（ステップＳ２３）。次に、ＲＦＩＤリーダライタから前記ワンタイムパスワードを固定端末２０のホストコンピュータ（ＣＰＵ２４）に転送する（ステップＳ２４）。次に、ホストコンピュータ（ＣＰＵ２４）に転送された前記ワンタイムパスワードを固定端末２０がサーバ３０に転送する（ステップＳ２５）。そして、サーバ３０にて、その照合認証部３２が、固定端末２０から送られてきたワンタイムパスワードと生成部３１が生成したワンタイムパスワードとを照合し、その認証作業を行う（ステップＳ２６）。
【００４７】
以上のステップを経て、サーバ３０でワンタイムパスワードを照合、認証することで、始めて、固定端末２０はサーバ３０にアクセスを開始することができる。この第３の方法においては、ワンタイムパスワードの生成をサーバ３０が行う点で前記第２の方法と異なっているが、第１及び第２の方法と基本的には同様の作用効果を有している。つまり、ワンタイムパスワードは一度の使い捨てパスワードであるからサーバ３０が不正使用されるおそれは小さい。特に、携帯端末１０にはワンタイムパスワードの生成回路を備えていないので、携帯端末１０の小型化とともに、セキュリティ性をより高めることができる。また、携帯端末１０のリーダライタ用アンテナ１２を固定端末２０に近接させることで、サーバ３０がワンタイムパスワードを自動的に照合、認証するので、ユーザおいては煩雑な操作が必要でなくなる。また、定期的に前記ステップを実行することで、さらにセキュリティ性が高まる。つまり、携帯端末１０を固定端末２０に近接させた状態で固定端末２０を使用する場合、近接している時間内で定期的にワンタイムパスワードの発行と認証とを行うことができ、よりセキュリティが向上する。
【００４８】
以上、無線通信システム及びワンタイムパスワードの生成、照合方法を具体的な実施例に基づいて説明したが、本発明に係る無線通信システム及びワンタイムパスワードの生成、認証方法は前記実施例に限定されるものではなく、その要旨の範囲内で種々に変更することができる。
【００４９】
特に、リーダライタやＲＦＩＤタグ、そのアンテナなどの構成は任意である。ＲＦＩＤタグは、少なくともタグ機能を持ったものであればよく、リーダライタ機能とタグ機能の両者を持ったものであってもよい。
【産業上の利用可能性】
【００５０】
以上のように、本発明は、無線通信システム及びワンタイムパスワードの生成、認証方法に有用であり、特に、ワンタイムパスワードを簡単な手法で生成、認証することができる点で優れている。
【符号の説明】
【００５１】
１…無線通信システム
１０…携帯端末
１１…リーダライタ
１２…リーダライタ用アンテナ
１３，１３’…第１のＣＰＵ
２０…固定端末
２１…タグ用デバイス
２２…タグ用アンテナ
２３…ＲＦＩＤタグ
２４…第２のＣＰＵ
２５…インターフェース
３０…サーバ
３１…ワンタイムパスワード生成部
３２…照合認証部
Ｔ１〜Ｔ４…端子
【図１】
2015068452.tif 000003
【図２】
2015068452.tif 000004
【図３】
2015068452.tif 000005
【図４】
2015068452.tif 000006
【図５】
2015068452.tif 000007
【図６】
2015068452.tif 000008
【手続補正書】
【提出日】平成28年4月15日(2016.4.15)
【手続補正１】
【補正対象書類名】特許請求の範囲
【補正対象項目名】全文
【補正方法】変更
【補正の内容】
【特許請求の範囲】
【請求項１】
ワンタイムパスワード生成機能を備えた携帯端末と、サーバと、前記サーバと接続されて入力されたワンタイムパスワードが認証された時点で前記サーバにアクセスを開始できる固定端末と、を備え、
前記固定端末はＲＦＩＤタグを備え、
前記携帯端末は、前記ＲＦＩＤタグとＲＦＩＤ通信可能なＲＦＩＤリーダライタと、前記ＲＦＩＤリーダライタに接続されて前記ＲＦＩＤタグのＩＤ情報に基づく第１のワンタイムパスワードを生成する第１のワンタイムパスワード生成部と、を備え、
前記サーバは、前記ＲＦＩＤタグのＩＤ情報に基づく第２のワンタイムパスワードを生成する第２のワンタイムパスワード生成部と、前記第１のワンタイムパスワードと前記第２のワンタイムパスワードとを照合、認証する照合認証部と、を備え、
前記第１のワンタイムパスワード生成部及び前記第２のワンタイムパスワード生成部は、各生成部に共通のルールに基づいて前記ＲＦＩＤタグのＩＤ情報から前記第１のワンタイムパスワード及び前記第２のワンタイムパスワードを生成すること、
を特徴とする無線通信システム。
【請求項２】
サーバと、前記サーバとの通信が可能な無線通信システムを搭載した携帯端末と、前記サーバに接続されて入力されたワンタイムパスワードが認証された時点で前記サーバにアクセスを開始できる固定端末と、を備え、
前記固定端末はＲＦＩＤタグを備え、
前記携帯端末は、前記ＲＦＩＤタグとＲＦＩＤ通信可能なＲＦＩＤリーダライタと、前記ＲＦＩＤリーダライタに接続されて前記ＲＦＩＤタグのＩＤ情報に基づくワンタイムパスワードを生成するワンタイムパスワード生成部と、を備え、
前記サーバは、前記携帯端末から前記無線通信システムを通じて直接的に送られてきたワンタイムパスワードと、前記携帯端末から前記ＲＦＩＤ通信及び前記固定端末を介して間接的に送られてきたワンタイムパスワードとを照合、認証する照合認証部を備えたこと、
を特徴とする無線通信システム。
【請求項３】
ワンタイムパスワード生成機能を備えたサーバと、前記サーバとの通信が可能な無線通信システムを搭載した携帯端末と、前記サーバに接続されて入力されたワンタイムパスワードが認証された時点で前記サーバにアクセスを開始できる固定端末と、を備え、
前記固定端末はＲＦＩＤタグを備え、
前記携帯端末は、前記ＲＦＩＤタグとＲＦＩＤ通信可能なＲＦＩＤリーダライタを備え、
前記サーバは、前記携帯端末から前記無線通信システムを通じて直接的に送られてきた前記ＲＦＩＤタグのＩＤ情報に基づくワンタイムパスワードを生成するワンタイムパスワード生成部と、照合認証部とを備えており、
前記携帯端末は、前記ワンタイムパスワード生成部が生成したワンタイムパスワードを前記携帯端末にダウンロードした後に、前記ＲＦＩＤリーダライタから前記ＲＦＩＤタグに前記ＲＦＩＤ通信を利用して転送し、
前記照合認証部は、前記携帯端末から前記固定端末を介して間接的に送られてきたワンタイムパスワードを照合、認証すること、
を特徴とする無線通信システム。
【請求項４】
ＲＦＩＤ通信システムを利用して、固定端末に搭載されたＲＦＩＤタグを携帯端末に搭載されたＲＦＩＤリーダライタで読み取るステップと、
前記携帯端末にて、読み取った前記ＲＦＩＤタグの情報を利用し、所定ルールに基づいてワンタイムパスワードを生成するステップと、
生成された前記ワンタイムパスワードを、前記ＲＦＩＤリーダライタから前記ＲＦＩＤタグに、前記ＲＦＩＤ通信システムを利用して転送するステップと、
前記ワンタイムパスワード及び前記ＲＦＩＤタグの情報を、前記固定端末からサーバに転送するステップと、
前記サーバにて、前記ＲＦＩＤタグの情報を利用し、前記所定のルールに基づいてワンタイムパスワードを生成し、前記固定端末が前記サーバにアクセスを開始するために、ここで生成されたワンタイムパスワードと前記固定端末から送られてきた前記ワンタイムパスワードとを照合、認証するステップと、
を備えたことを特徴とするワンタイムパスワードの生成、認証方法。
【請求項５】
ＲＦＩＤ通信システムを利用して、固定端末に搭載されたＲＦＩＤタグを携帯端末に搭載されたＲＦＩＤリーダライタで読み取るステップと、
読み取った前記ＲＦＩＤタグの情報に基づいて前記携帯端末にてワンタイムパスワードを生成するステップと、
生成された前記ワンタイムパスワードを、前記ＲＦＩＤリーダライタから前記ＲＦＩＤタグに前記ＲＦＩＤ通信システムを利用して転送し、さらにサーバに転送するステップと、
前記ワンタイムパスワードを、前記携帯端末から前記サーバに、前記ＲＦＩＤ通信システムとは異なる無線通信システムを利用して転送するステップと、
前記サーバにて、前記固定端末が前記サーバにアクセスを開始するために、前記固定端末から送られてきた前記ワンタイムパスワードと前記携帯端末から送られてきた前記ワンタイムパスワードとを照合、認証するステップと、
を備えたことを特徴とするワンタイムパスワードの生成、認証方法。
【請求項６】
ＲＦＩＤ通信システムを利用して、固定端末に搭載されたＲＦＩＤタグを携帯端末に搭載されたＲＦＩＤリーダライタで読み取るステップと、
読み取った前記ＲＦＩＤタグの情報を前記携帯端末からサーバに前記ＲＦＩＤ通信システムとは異なる無線通信システムを利用して転送し、前記サーバにて前記ＲＦＩＤタグの情報に基づいてワンタイムパスワードを生成し、このワンタイムパスワードを前記携帯端末にダウンロードするステップと、
ダウンロードした前記ワンタイムパスワードを前記ＲＦＩＤリーダライタから前記ＲＦＩＤタグに前記ＲＦＩＤ通信システムを利用して転送するステップと、
前記ワンタイムパスワードを前記固定端末から前記サーバに転送するステップと、
前記サーバにて、前記固定端末が前記サーバにアクセスを開始するために、前記サーバにて生成した前記ワンタイムパスワードと前記固定端末から送られてきた前記ワンタイムパスワードとを照合、認証するステップと、
を備えたことを特徴とするワンタイムパスワードの生成、認証方法。
【手続補正２】
【補正対象書類名】明細書
【補正対象項目名】００１０
【補正方法】変更
【補正の内容】
【００１０】
本発明の第１の形態である無線通信システムは、
ワンタイムパスワード生成機能を備えた携帯端末と、サーバと、前記サーバと接続されて入力されたワンタイムパスワードが認証された時点で前記サーバにアクセスを開始できる固定端末と、を備え、
前記固定端末はＲＦＩＤタグを備え、
前記携帯端末は、前記ＲＦＩＤタグとＲＦＩＤ通信可能なＲＦＩＤリーダライタと、前記ＲＦＩＤリーダライタに接続されて前記ＲＦＩＤタグのＩＤ情報に基づく第１のワンタイムパスワードを生成する第１のワンタイムパスワード生成部と、を備え、
前記サーバは、前記ＲＦＩＤタグのＩＤ情報に基づく第２のワンタイムパスワードを生成する第２のワンタイムパスワード生成部と、前記第１のワンタイムパスワードと前記第２のワンタイムパスワードとを照合、認証する照合認証部と、を備え、
前記第１のワンタイムパスワード生成部及び前記第２のワンタイムパスワード生成部は、各生成部に共通のルールに基づいて前記ＲＦＩＤタグのＩＤ情報から前記第１のワンタイムパスワード及び前記第２のワンタイムパスワードを生成すること、
を特徴とする。
【手続補正３】
【補正対象書類名】明細書
【補正対象項目名】００１１
【補正方法】変更
【補正の内容】
【００１１】
本発明の第２の形態である無線通信システムは、
サーバと、前記サーバとの通信が可能な無線通信システムを搭載した携帯端末と、前記サーバに接続されて入力されたワンタイムパスワードが認証された時点で前記サーバにアクセスを開始できる固定端末と、を備え、
前記固定端末はＲＦＩＤタグを備え、
前記携帯端末は、前記ＲＦＩＤタグとＲＦＩＤ通信可能なＲＦＩＤリーダライタと、前記ＲＦＩＤリーダライタに接続されて前記ＲＦＩＤタグのＩＤ情報に基づくワンタイムパスワードを生成するワンタイムパスワード生成部と、を備え、
前記サーバは、前記携帯端末から前記無線通信システムを通じて直接的に送られてきたワンタイムパスワードと、前記携帯端末から前記ＲＦＩＤ通信及び前記固定端末を介して間接的に送られてきたワンタイムパスワードとを照合、認証する照合認証部を備えたこと、
を特徴とする。
【手続補正４】
【補正対象書類名】明細書
【補正対象項目名】００１２
【補正方法】変更
【補正の内容】
【００１２】
本発明の第３の形態である無線通信システムは、
ワンタイムパスワード生成機能を備えたサーバと、前記サーバとの通信が可能な無線通信システムを搭載した携帯端末と、前記サーバに接続されて入力されたワンタイムパスワードが認証された時点で前記サーバにアクセスを開始できる固定端末と、を備え、
前記固定端末はＲＦＩＤタグを備え、
前記携帯端末は、前記ＲＦＩＤタグとＲＦＩＤ通信可能なＲＦＩＤリーダライタを備え、
前記サーバは、前記携帯端末から前記無線通信システムを通じて直接的に送られてきた前記ＲＦＩＤタグのＩＤ情報に基づくワンタイムパスワードを生成するワンタイムパスワード生成部と、照合認証部とを備えており、
前記携帯端末は、前記ワンタイムパスワード生成部が生成したワンタイムパスワードを前記携帯端末にダウンロードした後に、前記ＲＦＩＤリーダライタから前記ＲＦＩＤタグに前記ＲＦＩＤ通信を利用して転送し、
前記照合認証部は、前記携帯端末から前記固定端末を介して間接的に送られてきたワンタイムパスワードを照合、認証すること、
を特徴とする。
【手続補正５】
【補正対象書類名】明細書
【補正対象項目名】００１３
【補正方法】変更
【補正の内容】
【００１３】
本発明の第４の形態であるワンタイムパスワードの生成、認証方法は、
ＲＦＩＤ通信システムを利用して、固定端末に搭載されたＲＦＩＤタグを携帯端末に搭載されたＲＦＩＤリーダライタで読み取るステップと、
前記携帯端末にて、読み取った前記ＲＦＩＤタグの情報を利用し、所定ルールに基づいてワンタイムパスワードを生成するステップと、
生成された前記ワンタイムパスワードを、前記ＲＦＩＤリーダライタから前記ＲＦＩＤタグに、前記ＲＦＩＤ通信システムを利用して転送するステップと、
前記ワンタイムパスワード及び前記ＲＦＩＤタグの情報を、前記固定端末からサーバに転送するステップと、
前記サーバにて、前記ＲＦＩＤタグの情報を利用し、前記所定のルールに基づいてワンタイムパスワードを生成し、前記固定端末が前記サーバにアクセスを開始するために、ここで生成されたワンタイムパスワードと前記固定端末から送られてきた前記ワンタイムパスワードとを照合、認証するステップと、
を備えたことを特徴とする。
【手続補正６】
【補正対象書類名】明細書
【補正対象項目名】００１４
【補正方法】変更
【補正の内容】
【００１４】
本発明の第５の形態であるワンタイムパスワードの生成、照合方法は、
ＲＦＩＤ通信システムを利用して、固定端末に搭載されたＲＦＩＤタグを携帯端末に搭載されたＲＦＩＤリーダライタで読み取るステップと、
読み取った前記ＲＦＩＤタグの情報に基づいて前記携帯端末にてワンタイムパスワードを生成するステップと、
生成された前記ワンタイムパスワードを、前記ＲＦＩＤリーダライタから前記ＲＦＩＤタグに前記ＲＦＩＤ通信システムを利用して転送し、さらにサーバに転送するステップと、
前記ワンタイムパスワードを、前記携帯端末から前記サーバに、前記ＲＦＩＤ通信システムとは異なる無線通信システムを利用して転送するステップと、
前記サーバにて、前記固定端末が前記サーバにアクセスを開始するために、前記固定端末から送られてきた前記ワンタイムパスワードと前記携帯端末から送られてきた前記ワンタイムパスワードとを照合、認証するステップと、
を備えたことを特徴とする。
【手続補正７】
【補正対象書類名】明細書
【補正対象項目名】００１５
【補正方法】変更
【補正の内容】
【００１５】
本発明の第６の形態であるワンタイムパスワードの生成、照合方法は、
ＲＦＩＤ通信システムを利用して、固定端末に搭載されたＲＦＩＤタグを携帯端末に搭載されたＲＦＩＤリーダライタで読み取るステップと、
読み取った前記ＲＦＩＤタグの情報を前記携帯端末からサーバに前記ＲＦＩＤ通信システムとは異なる無線通信システムを利用して転送し、前記サーバにて前記ＲＦＩＤタグの情報に基づいてワンタイムパスワードを生成し、このワンタイムパスワードを前記携帯端末にダウンロードするステップと、
ダウンロードした前記ワンタイムパスワードを前記ＲＦＩＤリーダライタから前記ＲＦＩＤタグに前記ＲＦＩＤ通信システムを利用して転送するステップと、
前記ワンタイムパスワードを前記固定端末から前記サーバに転送するステップと、
前記サーバにて、前記固定端末が前記サーバにアクセスを開始するために、前記サーバにて生成した前記ワンタイムパスワードと前記固定端末から送られてきた前記ワンタイムパスワードとを照合、認証するステップと、
を備えたことを特徴とする。
【手続補正書】
【提出日】平成28年7月29日(2016.7.29)
【手続補正１】
【補正対象書類名】特許請求の範囲
【補正対象項目名】全文
【補正方法】変更
【補正の内容】
【特許請求の範囲】
【請求項１】
ワンタイムパスワード生成機能を備えた携帯端末と、サーバと、前記サーバと接続されて入力されたワンタイムパスワードが認証された時点で前記サーバにアクセスを開始できる固定端末と、を備え、
前記固定端末はＲＦＩＤタグを備え、
前記携帯端末は、前記ＲＦＩＤタグとＲＦＩＤ通信可能なＲＦＩＤリーダライタと、前記ＲＦＩＤリーダライタに接続されて前記ＲＦＩＤタグのＩＤ情報のみに基づく第１のワンタイムパスワードを生成する第１のワンタイムパスワード生成部と、を備え、
前記サーバは、前記ＲＦＩＤタグのＩＤ情報のみに基づく第２のワンタイムパスワードを生成する第２のワンタイムパスワード生成部と、前記第１のワンタイムパスワードと前記第２のワンタイムパスワードとを照合、認証する照合認証部と、を備え、
前記第１のワンタイムパスワード生成部及び前記第２のワンタイムパスワード生成部は、各生成部に共通のルールに基づいて前記ＲＦＩＤタグのＩＤ情報から前記第１のワンタイムパスワード及び前記第２のワンタイムパスワードを生成すること、
を特徴とする無線通信システム。
【請求項２】
サーバと、前記サーバとの通信が可能な無線通信システムを搭載した携帯端末と、前記サーバに接続されて入力されたワンタイムパスワードが認証された時点で前記サーバにアクセスを開始できる固定端末と、を備え、
前記固定端末はＲＦＩＤタグを備え、
前記携帯端末は、前記ＲＦＩＤタグとＲＦＩＤ通信可能なＲＦＩＤリーダライタと、前記ＲＦＩＤリーダライタに接続されて前記ＲＦＩＤタグのＩＤ情報のみに基づくワンタイムパスワードを生成するワンタイムパスワード生成部と、を備え、
前記サーバは、前記携帯端末から前記無線通信システムを通じて直接的に送られてきたワンタイムパスワードと、前記携帯端末から前記ＲＦＩＤ通信及び前記固定端末を介して間接的に送られてきたワンタイムパスワードとを照合、認証する照合認証部を備えたこと、
を特徴とする無線通信システム。
【請求項３】
ワンタイムパスワード生成機能を備えたサーバと、前記サーバとの通信が可能な無線通信システムを搭載した携帯端末と、前記サーバに接続されて入力されたワンタイムパスワードが認証された時点で前記サーバにアクセスを開始できる固定端末と、を備え、
前記固定端末はＲＦＩＤタグを備え、
前記携帯端末は、前記ＲＦＩＤタグとＲＦＩＤ通信可能なＲＦＩＤリーダライタを備え、
前記サーバは、前記携帯端末から前記無線通信システムを通じて直接的に送られてきた前記ＲＦＩＤタグのＩＤ情報のみに基づくワンタイムパスワードを生成するワンタイムパスワード生成部と、照合認証部とを備えており、
前記携帯端末は、前記ワンタイムパスワード生成部が生成したワンタイムパスワードを前記携帯端末にダウンロードした後に、前記ＲＦＩＤリーダライタから前記ＲＦＩＤタグに前記ＲＦＩＤ通信を利用して転送し、
前記照合認証部は、前記携帯端末から前記固定端末を介して間接的に送られてきたワンタイムパスワードを照合、認証すること、
を特徴とする無線通信システム。
【請求項４】
ＲＦＩＤ通信システムを利用して、固定端末に搭載されたＲＦＩＤタグを携帯端末に搭載されたＲＦＩＤリーダライタで読み取るステップと、
前記携帯端末にて、読み取った前記ＲＦＩＤタグの情報のみを利用し、所定ルールに基づいてワンタイムパスワードを生成するステップと、
生成された前記ワンタイムパスワードを、前記ＲＦＩＤリーダライタから前記ＲＦＩＤタグに、前記ＲＦＩＤ通信システムを利用して転送するステップと、
前記ワンタイムパスワード及び前記ＲＦＩＤタグの情報を、前記固定端末からサーバに転送するステップと、
前記サーバにて、前記ＲＦＩＤタグの情報のみを利用し、前記所定ルールに基づいてワンタイムパスワードを生成し、前記固定端末が前記サーバにアクセスを開始するために、ここで生成されたワンタイムパスワードと前記固定端末から送られてきた前記ワンタイムパスワードとを照合、認証するステップと、
を備えたことを特徴とするワンタイムパスワードの生成、認証方法。
【請求項５】
ＲＦＩＤ通信システムを利用して、固定端末に搭載されたＲＦＩＤタグを携帯端末に搭載されたＲＦＩＤリーダライタで読み取るステップと、
読み取った前記ＲＦＩＤタグの情報のみに基づいて前記携帯端末にてワンタイムパスワードを生成するステップと、
生成された前記ワンタイムパスワードを、前記ＲＦＩＤリーダライタから前記ＲＦＩＤタグに前記ＲＦＩＤ通信システムを利用して転送し、さらにサーバに転送するステップと、
前記ワンタイムパスワードを、前記携帯端末から前記サーバに、前記ＲＦＩＤ通信システムとは異なる無線通信システムを利用して転送するステップと、
前記サーバにて、前記固定端末が前記サーバにアクセスを開始するために、前記固定端末から送られてきた前記ワンタイムパスワードと前記携帯端末から送られてきた前記ワンタイムパスワードとを照合、認証するステップと、
を備えたことを特徴とするワンタイムパスワードの生成、認証方法。
【請求項６】
ＲＦＩＤ通信システムを利用して、固定端末に搭載されたＲＦＩＤタグを携帯端末に搭載されたＲＦＩＤリーダライタで読み取るステップと、
読み取った前記ＲＦＩＤタグの情報を前記携帯端末からサーバに前記ＲＦＩＤ通信システムとは異なる無線通信システムを利用して転送し、前記サーバにて前記ＲＦＩＤタグの情報のみに基づいてワンタイムパスワードを生成し、このワンタイムパスワードを前記携帯端末にダウンロードするステップと、
ダウンロードした前記ワンタイムパスワードを前記ＲＦＩＤリーダライタから前記ＲＦＩＤタグに前記ＲＦＩＤ通信システムを利用して転送するステップと、
前記ワンタイムパスワードを前記固定端末から前記サーバに転送するステップと、
前記サーバにて、前記固定端末が前記サーバにアクセスを開始するために、前記サーバにて生成した前記ワンタイムパスワードと前記固定端末から送られてきた前記ワンタイムパスワードとを照合、認証するステップと、
を備えたことを特徴とするワンタイムパスワードの生成、認証方法。
【手続補正２】
【補正対象書類名】明細書
【補正対象項目名】００１０
【補正方法】変更
【補正の内容】
【００１０】
本発明の第１の形態である無線通信システムは、
ワンタイムパスワード生成機能を備えた携帯端末と、サーバと、前記サーバと接続されて入力されたワンタイムパスワードが認証された時点で前記サーバにアクセスを開始できる固定端末と、を備え、
前記固定端末はＲＦＩＤタグを備え、
前記携帯端末は、前記ＲＦＩＤタグとＲＦＩＤ通信可能なＲＦＩＤリーダライタと、前記ＲＦＩＤリーダライタに接続されて前記ＲＦＩＤタグのＩＤ情報のみに基づく第１のワンタイムパスワードを生成する第１のワンタイムパスワード生成部と、を備え、
前記サーバは、前記ＲＦＩＤタグのＩＤ情報のみに基づく第２のワンタイムパスワードを生成する第２のワンタイムパスワード生成部と、前記第１のワンタイムパスワードと前記第２のワンタイムパスワードとを照合、認証する照合認証部と、を備え、
前記第１のワンタイムパスワード生成部及び前記第２のワンタイムパスワード生成部は、各生成部に共通のルールに基づいて前記ＲＦＩＤタグのＩＤ情報から前記第１のワンタイムパスワード及び前記第２のワンタイムパスワードを生成すること、
を特徴とする。
【手続補正３】
【補正対象書類名】明細書
【補正対象項目名】００１１
【補正方法】変更
【補正の内容】
【００１１】
本発明の第２の形態である無線通信システムは、
サーバと、前記サーバとの通信が可能な無線通信システムを搭載した携帯端末と、前記サーバに接続されて入力されたワンタイムパスワードが認証された時点で前記サーバにアクセスを開始できる固定端末と、を備え、
前記固定端末はＲＦＩＤタグを備え、
前記携帯端末は、前記ＲＦＩＤタグとＲＦＩＤ通信可能なＲＦＩＤリーダライタと、前記ＲＦＩＤリーダライタに接続されて前記ＲＦＩＤタグのＩＤ情報のみに基づくワンタイムパスワードを生成するワンタイムパスワード生成部と、を備え、
前記サーバは、前記携帯端末から前記無線通信システムを通じて直接的に送られてきたワンタイムパスワードと、前記携帯端末から前記ＲＦＩＤ通信及び前記固定端末を介して間接的に送られてきたワンタイムパスワードとを照合、認証する照合認証部を備えたこと、
を特徴とする。
【手続補正４】
【補正対象書類名】明細書
【補正対象項目名】００１２
【補正方法】変更
【補正の内容】
【００１２】
本発明の第３の形態である無線通信システムは、
ワンタイムパスワード生成機能を備えたサーバと、前記サーバとの通信が可能な無線通信システムを搭載した携帯端末と、前記サーバに接続されて入力されたワンタイムパスワードが認証された時点で前記サーバにアクセスを開始できる固定端末と、を備え、
前記固定端末はＲＦＩＤタグを備え、
前記携帯端末は、前記ＲＦＩＤタグとＲＦＩＤ通信可能なＲＦＩＤリーダライタを備え、
前記サーバは、前記携帯端末から前記無線通信システムを通じて直接的に送られてきた前記ＲＦＩＤタグのＩＤ情報のみに基づくワンタイムパスワードを生成するワンタイムパスワード生成部と、照合認証部とを備えており、
前記携帯端末は、前記ワンタイムパスワード生成部が生成したワンタイムパスワードを前記携帯端末にダウンロードした後に、前記ＲＦＩＤリーダライタから前記ＲＦＩＤタグに前記ＲＦＩＤ通信を利用して転送し、
前記照合認証部は、前記携帯端末から前記固定端末を介して間接的に送られてきたワンタイムパスワードを照合、認証すること、
を特徴とする。
【手続補正５】
【補正対象書類名】明細書
【補正対象項目名】００１３
【補正方法】変更
【補正の内容】
【００１３】
本発明の第４の形態であるワンタイムパスワードの生成、認証方法は、
ＲＦＩＤ通信システムを利用して、固定端末に搭載されたＲＦＩＤタグを携帯端末に搭載されたＲＦＩＤリーダライタで読み取るステップと、
前記携帯端末にて、読み取った前記ＲＦＩＤタグの情報のみを利用し、所定ルールに基づいてワンタイムパスワードを生成するステップと、
生成された前記ワンタイムパスワードを、前記ＲＦＩＤリーダライタから前記ＲＦＩＤタグに、前記ＲＦＩＤ通信システムを利用して転送するステップと、
前記ワンタイムパスワード及び前記ＲＦＩＤタグの情報を、前記固定端末からサーバに転送するステップと、
前記サーバにて、前記ＲＦＩＤタグの情報のみを利用し、前記所定のルールに基づいてワンタイムパスワードを生成し、前記固定端末が前記サーバにアクセスを開始するために、ここで生成されたワンタイムパスワードと前記固定端末から送られてきた前記ワンタイムパスワードとを照合、認証するステップと、
を備えたことを特徴とする。
【手続補正６】
【補正対象書類名】明細書
【補正対象項目名】００１４
【補正方法】変更
【補正の内容】
【００１４】
本発明の第５の形態であるワンタイムパスワードの生成、照合方法は、
ＲＦＩＤ通信システムを利用して、固定端末に搭載されたＲＦＩＤタグを携帯端末に搭載されたＲＦＩＤリーダライタで読み取るステップと、
読み取った前記ＲＦＩＤタグの情報のみに基づいて前記携帯端末にてワンタイムパスワードを生成するステップと、
生成された前記ワンタイムパスワードを、前記ＲＦＩＤリーダライタから前記ＲＦＩＤタグに前記ＲＦＩＤ通信システムを利用して転送し、さらにサーバに転送するステップと、
前記ワンタイムパスワードを、前記携帯端末から前記サーバに、前記ＲＦＩＤ通信システムとは異なる無線通信システムを利用して転送するステップと、
前記サーバにて、前記固定端末が前記サーバにアクセスを開始するために、前記固定端末から送られてきた前記ワンタイムパスワードと前記携帯端末から送られてきた前記ワンタイムパスワードとを照合、認証するステップと、
を備えたことを特徴とする。
【手続補正７】
【補正対象書類名】明細書
【補正対象項目名】００１５
【補正方法】変更
【補正の内容】
【００１５】
本発明の第６の形態であるワンタイムパスワードの生成、照合方法は、
ＲＦＩＤ通信システムを利用して、固定端末に搭載されたＲＦＩＤタグを携帯端末に搭載されたＲＦＩＤリーダライタで読み取るステップと、
読み取った前記ＲＦＩＤタグの情報を前記携帯端末からサーバに前記ＲＦＩＤ通信システムとは異なる無線通信システムを利用して転送し、前記サーバにて前記ＲＦＩＤタグの情報のみに基づいてワンタイムパスワードを生成し、このワンタイムパスワードを前記携帯端末にダウンロードするステップと、
ダウンロードした前記ワンタイムパスワードを前記ＲＦＩＤリーダライタから前記ＲＦＩＤタグに前記ＲＦＩＤ通信システムを利用して転送するステップと、
前記ワンタイムパスワードを前記固定端末から前記サーバに転送するステップと、
前記サーバにて、前記固定端末が前記サーバにアクセスを開始するために、前記サーバにて生成した前記ワンタイムパスワードと前記固定端末から送られてきた前記ワンタイムパスワードとを照合、認証するステップと、
を備えたことを特徴とする。
【国際調査報告】
2015068452.tif 000009
2015068452.tif 000010
2015068452.tif 000011
2015068452.tif 000012